(57)【要約】      （修正有）【課題】支持面よりも上側に突出して搬送経路の一部を構成する部分によって原稿に傷が付くことを抑制できる画像読取装置を提供する。【解決手段】画像読取装置は、支持面８１Ａを有する本体部８と、閉鎖位置と開放位置とに変位可能な開閉部と、開閉部に設けられた搬送部と、本体部８内に収容され、支持面８１Ａに支持された原稿の画像を移動しながら読み取るとともに、開閉部が閉鎖位置にある状態において、搬送経路において搬送されるシートの第１面の画像を読み取る第１読取部３Ｂとを備える。本体部８は、支持面８１Ａよりも上側に突出し、搬送経路の一部を構成可能な第１位置と、第１位置に対して少なくとも一部が支持面８１Ａより下方に退避する第２位置との間で変位可能な可動部１６０と、可動部１６０を第１位置と第２位置との間で変位させるプッシュラッチ機構１９０と、を有する。【選択図】図９
2016143917.tif 000002
【特許請求の範囲】
【請求項１】
読取対象の原稿を支持する支持面を上面に有する本体部と、
前記支持面を覆う閉鎖位置と、前記支持面を露出させる開放位置とに変位可能に前記本体部に支持された開閉部と、
前記開閉部に設けられ、シートを搬送経路に沿って搬送する搬送部と、
前記本体部内に収容され、前記支持面に支持された原稿の画像を移動しながら読み取るとともに、前記開閉部が前記閉鎖位置にある状態において、前記搬送経路において搬送されるシートに下側から対向する静止読取位置に停止し、前記シートの下側を向く第１面の画像を読み取る第１読取部と、を備える画像読取装置であって、
前記本体部は、前記支持面よりも上側に突出し、前記搬送経路の一部を構成可能な第１位置と、前記第１位置に対して少なくとも一部が前記支持面より下方に退避する第２位置との間で変位可能な可動部と、
前記可動部を前記第１位置と前記第２位置との間で変位させる変位手段と、を有することを特徴とする画像読取装置。
【請求項２】
前記開閉部に収容され、前記搬送経路において搬送されるシートの前記第１面とは反対側を向く第２面の画像を読み取る第２読取部をさらに備え、
前記搬送経路は、前記静止読取位置に停止する前記第１読取部側に向かって下り傾斜する傾斜部を含み、
前記第２読取部は、前記傾斜部よりも上側の位置でその読取面を前記傾斜部に沿わせるように配設され、
前記可動部は、前記開閉部が前記閉鎖位置にある状態において、前記傾斜部を通過するシートの前記第１面に当接可能な押圧部材と、前記押圧部材を前記第２読取部に向けて付勢する付勢部材とを有している請求項１記載の画像読取装置。
【請求項３】
前記搬送経路は、前記静止読取位置に停止する前記第１読取部側に向かって下り傾斜する傾斜部を含み、
前記可動部は、前記傾斜部を通過するシートの前記第１面に下側から当接可能に延在し、前記傾斜部においてシートを案内するガイド面を有している請求項１又は２記載の画像読取装置。
【請求項４】
前記可動部の上面は、前記第２位置にある状態で、前記支持面と略平行である請求項１乃至３のいずれか１項記載の画像読取装置。
【請求項５】
前記変位手段は、前記第１位置にある前記可動部が下向きに押されることにより、前記可動部を前記第２位置に変位させる一方、前記第２位置にある前記可動部が下向きに押されることにより、前記可動部を前記第１位置に変位させるプッシュラッチ機構である請求項１乃至４のいずれか１項記載の画像読取装置。
【請求項６】
前記変位手段は、前記可動部が前記第１位置にある状態で第１操作を受けることにより、前記可動部を前記第２位置に変位させる一方、前記可動部が前記第２位置にある状態で前記第１操作とは異なる第２操作を受けることにより、前記可動部を前記第１位置に変位させるリンク機構である請求項１乃至４のいずれか１項記載の画像読取装置。
【請求項７】
前記搬送部及び前記第１読取部を制御する制御部をさらに備え、
前記制御部は、前記搬送部によって搬送されるシートの画像を読み取る際に、前記搬送部を稼動させる前に前記可動部が前記第２位置にあるか否かを判断する判断処理と、
前記判断処理において前記可動部が前記第２位置にあると判断された場合に、前記可動部を前記第１位置に変位させるための報知を行う報知処理と、を実行する請求項５又は６記載の画像読取装置。
【請求項８】
前記搬送部及び前記第１読取部を制御する制御部をさらに備え、
前記変位手段は、前記制御部に制御されて前記可動部を前記第１位置と前記第２位置との間で変位させるアクチュエータ機構である請求項１乃至４のいずれか１項記載の画像読取装置。
【請求項９】
前記制御部は、前記搬送部によって搬送されるシートの画像を読み取る際に、前記搬送部を稼動させる前に前記変位手段を制御して、前記可動部を前記第１位置に変位させる変位処理を実行する請求項８記載の画像読取装置。
【請求項１０】
前記第１読取部を保持し、前記制御部に制御されて前記第１読取部を移動させる移動体をさらに備え、
前記移動体は、前記変位手段として機能し、前記第１読取部を待機位置から前記静止読取位置に移動させる動作によって、前記可動部を前記第１位置に変位させる一方、前記第１読取部を前記静止読取位置から前記待機位置に復帰させる動作によって、前記可動部を前記第２位置に変位させる請求項９記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、本体部と開閉部と搬送部と第１読取部とを備えている。
【０００３】
本体部は、読取対象の原稿を支持する支持面を上面に有している。開閉部は、支持面を覆う閉鎖位置と、支持面を露出させる開放位置とに変位可能に本体部に支持されている。搬送部は、開閉部に設けられている。搬送部は、シートを搬送経路に沿って搬送する。第１読取部は、本体部内に収容されている。第１読取部は、支持面に支持された原稿の画像を移動しながら読み取る。また、第１読取部は、開閉部が閉鎖位置にある状態において、搬送経路において搬送されるシートに下側から対向する静止読取位置に停止する。そして、第１読取部は、静止読取位置の上方を通過するシートの下側を向く第１面の画像を読み取る。
【先行技術文献】
【特許文献】
【０００４】
【特許文献１】特開２００９−１６４７６４号公報
【発明の概要】
【発明が解決しようとする課題】
【０００５】
ところで、例えば、開閉部の簡素化、シート詰まり時の除去作業の容易化等の各種の要求に対応するため、画像読取装置では、搬送経路の一部を構成する開閉部の一部を分離し、本体部に移設することが考えられる。具体例を説明すると、特許文献１に図示されている開閉部には、読取ローラ対２７の周辺に、搬送経路の湾曲する部分を湾曲の外側から規定するガイド部材が設けられているが、このガイド部材を開閉部から分離し、本体部に移設して、支持面よりも上側に突出させる構成が考えられる。
【０００６】
しかしながら、このような構成を採用する場合において、第１読取部によって支持面に支持された原稿の画像を移動しながら読み取る際に、ユーザが例えば、原稿を支持面に対してずれた状態で配置したり、支持面よりも大きいサイズの原稿を支持面からはみ出させつつ、支持面に配置したりする事態等が生じ得る。この場合、支持面よりも突出する移設部分にそれらの原稿が当接し、その原稿に折り癖等の傷が付くおそれがある。また、原稿を支持面に対してずれた状態、あるいは、はみ出した状態で支持させ、開閉部を閉じた場合には、開閉部からの押圧力により、原稿の破損の程度が大きくなる可能性もある。
【０００７】
本発明は、上記従来の実情に鑑みてなされたものであって、支持面よりも上側に突出して搬送経路の一部を構成する部分によって原稿に傷が付くことを抑制できる画像読取装置を提供することを目的とする。
【課題を解決するための手段】
【０００８】
本発明の画像読取装置は、読取対象の原稿を支持する支持面を上面に有する本体部と、
前記支持面を覆う閉鎖位置と、前記支持面を露出させる開放位置とに変位可能に前記本体部に支持された開閉部と、
前記開閉部に設けられ、シートを搬送経路に沿って搬送する搬送部と、
前記本体部内に収容され、前記支持面に支持された原稿の画像を移動しながら読み取るとともに、前記開閉部が前記閉鎖位置にある状態において、前記搬送経路において搬送されるシートに下側から対向する静止読取位置に停止し、前記シートの下側を向く第１面の画像を読み取る第１読取部と、を備える画像読取装置であって、
前記本体部は、前記支持面よりも上側に突出し、前記搬送経路の一部を構成可能な第１位置と、前記第１位置に対して少なくとも一部が前記支持面より下方に退避する第２位置との間で変位可能な可動部と、
前記可動部を前記第１位置と前記第２位置との間で変位させる変位手段と、を有することを特徴とする。
【０００９】
本発明の画像読取装置では、搬送部によって搬送されるシートの画像を読み取る場合、変位手段によって可動部を第１位置に変位させることができる。これにより、第１位置にある可動部は、搬送経路の一部を構成する。
【００１０】
その一方、この画像読取装置では、第１読取部によって支持面に支持された原稿の画像を移動しながら読み取る場合、変位手段によって可動部を第２位置に変位させることができる。これにより、可動部は、第１位置に対して少なくとも一部が支持面より下方に退避する。このため、この画像読取装置では、ユーザが例えば、原稿を支持面に対してずれた状態で配置したり、支持面よりも大きいサイズの原稿を支持面からはみ出させつつ、支持面に配置したりしても、それらの原稿が第２位置にある可動部に当接し難くなり、また、当接するとしても屈曲し難くなる。
【００１１】
したがって、本発明の画像読取装置では、支持面よりも上側に突出して搬送経路の一部を構成する部分によって原稿に傷が付くことを抑制できる。
【図面の簡単な説明】
【００１２】
【図１】実施例１の画像読取装置の斜視図である。
【図２】実施例１の画像読取装置の模式正面図である。
【図３】実施例１の画像読取装置に係り、本体部の支持面と、開放位置に変位した開閉部とを主に示す部分斜視図である。
【図４】実施例１の画像読取装置の部分断面図である。
【図５】実施例１の画像読取装置の要部拡大断面図である。
【図６】実施例１の画像読取装置のブロック図である。
【図７】実施例１の画像読取装置に係り、第２位置にある可動部を主に示す部分斜視図である。
【図８】実施例１の画像読取装置に係り、開放位置に変位した開閉部を主に示す部分斜視図である。
【図９】実施例１の画像読取装置に係り、第１位置に変位した可動部を示す模式図である。
【図１０】実施例１の画像読取装置に係り、第２位置に変位した可動部を示す模式図である。
【図１１】実施例１の画像読取装置に係り、搬送部による画像読取処理を示すフローチャートである。
【図１２】実施例２の画像読取装置に係り、第１位置に変位した可動部を示す模式図である。
【図１３】実施例２の画像読取装置に係り、第２位置に変位した可動部を示す模式図である。
【図１４】実施例３の画像読取装置に係り、待機位置にある第１読取センサと、第２位置にある可動部とを示す模式図である。
【図１５】実施例３の画像読取装置に係り、静止読取位置に移動した第１読取センサと、第１位置に変位した可動部とを示す模式図である。
【図１６】実施例３の画像読取装置に係り、搬送部による画像読取処理を示すフローチャートである。
【発明を実施するための形態】
【００１３】
以下、本発明を具体化した実施例１〜３を図面を参照しつつ説明する。
【００１４】
（実施例１）
図１に示すように、実施例１の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１５】
＜構成＞
図１〜図５に示すように、画像読取装置１は、本体部８、開閉部９、画像形成ユニット５、読取ユニット３及び搬送部４を備えている。本体部８は、扁平な略箱状体である。図１に示すように、本体部８の前面には、タッチパネル等である操作パネル８Ｐが設けられている
【００１６】
また、画像読取装置１は、図６に示すように、制御部Ｃ１を備えている。制御部Ｃ１は、ＣＰＵ等からなる制御回路であり、ＲＯＭ及びＲＡＭ等の情報記憶手段に記憶されている各種情報を用いながら、搬送部４、画像形成ユニット５、読取ユニット３、搬送部４及び操作パネル８Ｐ等の制御を行う。
【００１７】
図２に示すように、画像形成ユニット５は、本体部８内の下側部分に収容されている。画像形成ユニット５は、インクジェット方式又はレーザ方式等によりシートに画像を形成する。
【００１８】
図３〜図５及び図７に示すように、本体部８の上面には、第１プラテンガラス８１、第２プラテンガラス８２及び枠体８Ｗが配設されている。
【００１９】
第１プラテンガラス８１の上面によって、支持面８１Ａが形成されている。支持面８１Ａは、静止した状態の原稿の画像を読取ユニット３が読み取る際に、その原稿を下側から支持する。読取対象の原稿には、用紙、ＯＨＰシート等であるシートの他、書籍等が含まれる。
【００２０】
第２プラテンガラス８２は、第１プラテンガラス８１の左側に位置して前後方向に細長く延びている。第２プラテンガラス８２の上面によって、読取面８２Ａが形成されている。読取面８２Ａは、搬送部４によって１枚ずつ搬送されるシートＳＨの画像を読取ユニット３が読み取る際に、その搬送されるシートＳＨに下側から接触して案内する。
【００２１】
なお、本実施例においては、支持面８１Ａを使用して画像が読み取られる対象を原稿と記載し、搬送部４により搬送しながら画像が読み取られる対象をシートと記載する。原稿とシートとは、実質的に同じものであってもよい。
【００２２】
図３に示すように、枠体８Ｗは、熱可塑性樹脂の射出成形等によって製造される樹脂成形品である。枠体８Ｗは、第１プラテンガラス８１及び第２プラテンガラス８２の周囲を枠状に囲っている。枠体８Ｗにおける第２プラテンガラス８２より左側には、後述するガイド部１６０が設けられている。ガイド部１６０は、本発明の「可動部」の一例である。
【００２３】
図１に示すように、開閉部９は、本体部８の後面側上端縁に配設された図示しないヒンジによって、左右方向に延びる開閉軸心Ｘ９周りで揺動可能に支持されている。開閉部９は、図１、図２、図４及び図５に示す閉鎖位置では、支持面８１Ａを上方から覆っている。開閉部９は、その前端部側が上方かつ後方に変位するように開閉軸心Ｘ９周りで揺動することにより、図３及び図８に示す開放位置に変位する。開閉部９は、開放位置で支持面８１Ａを露出させる。これにより、ユーザは読取対象の原稿を支持面８１Ａに支持させることができる。
【００２４】
図２及び図３に示すように、読取ユニット３は、本体部８内の上側部分に収容された読取センサ３Ｂ及び図示しない走査機構と、開閉部９内に収容された読取センサ３Ａとを有している。
【００２５】
読取センサ３Ｂは、本発明の「第１読取部」の一例である。読取センサ３Ａは、本発明の「第２読取部」の一例である。読取センサ３Ａ、３Ｂとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。
【００２６】
図３に示すように、読取センサ３Ｂは、前後方向に延在しており、その上面側に図示しない複数の受光素子が列設されている。図４に示すように、読取センサ３Ｂは、支持面８１Ａ及び読取面８２Ａの下側に位置している。読取センサ３Ｂは、キャリッジ２０に保持されている。キャリッジ２０は、本発明の「移動体」の一例である。キャリッジ２０は、図示しない走査機構に連結されている。図示しない走査機構が稼動することにより、キャリッジ２０が読取センサ３Ｂを保持した状態で左右方向に往復動する。
【００２７】
図示しない走査機構は、支持面８１Ａに支持される原稿の画像を読み取る際に、読取センサ３Ｂを本体部８内における支持面８１Ａの下側で左右方向に往復動させる。また、図示しない走査機構は、搬送部４によって搬送されるシートＳＨの画像を読取センサ３Ｂが読み取る際に、読取センサ３Ｂを本体部８内における読取面８２Ａの下側の静止読取位置で停止させる。
【００２８】
読取センサ３Ａは、後述するように、開閉部９内における搬送経路Ｐ１の途中に配設されている。図５に示すように、読取センサ３Ａは、第３プラテンガラス８３を介して搬送経路Ｐ１に臨んでいる。読取センサ３Ａも、読取センサ３Ｂと同様に、図５の紙面手前側から紙面奥側に、すなわち、前後方向に延在している。第３プラテンガラス８３の読取面８３Ａは、搬送部４によって搬送されるシートＳＨの画像を読取センサ３Ａが読み取る際に、その搬送されるシートＳＨを上側から案内する。
【００２９】
図２、図４及び図５に示すように、搬送部４は、開閉部９に設けられている。搬送部４は、供給トレイ９１及び排出トレイ９２を有している。図１及び図２に示すように、供給トレイ９１は、開閉部９の右側部分に位置している。排出トレイ９２は、供給トレイ９１よりも下側に位置している。
【００３０】
図４に示すように、供給トレイ９１は、搬送部４によって搬送される読取対象のシートＳＨを下側から支持する。供給トレイ９１に支持されるシートＳＨの上側を向く面を第１面ＳＨ１とする。供給トレイ９１に支持されるシートＳＨの下側を向く面、すなわち第１面ＳＨ１とは反対側を向く面を第２面ＳＨ２とする。排出トレイ９２には、読取センサ３Ａ、３Ｂによって画像が読み取られ、搬送部４によって搬送されたシートＳＨが排出される。シートＳＨが排出トレイ９２に排出されると、第１面ＳＨ１は下側を向き、第２面ＳＨ２は上側を向く。
【００３１】
図４及び図５に示すように、搬送部４は、第１シュート部材１１０、第２シュート部材１２０、第１カバー部材１３０及び第２カバー部材１４０を含んでいる。搬送部４は、第１シュート部材１１０、第２シュート部材１２０、第１カバー部材１３０及び第２カバー部材１４０に形成され、開閉部９内でシートＳＨの第１面ＳＨ１又は第２面ＳＨ２に当接可能に延びる複数のガイド面に囲まれた空間として、図２、図４及び図５に示す搬送経路Ｐ１を規定する。搬送経路Ｐ１は、上側経路ＰＡ１と下側経路ＰＢ１と湾曲経路ＰＣ１とを含んでいる。
【００３２】
図４及び図５に示すように、上側経路ＰＡ１は、供給トレイ９１から開閉部９の左端部側まで延びている。上側経路ＰＡ１は、供給トレイ９１に連続する部分が下り傾斜し、後述する供給ローラ４１と分離ローラ４２との間にある位置を境に、上り傾斜している。
【００３３】
下側経路ＰＢ１は、上側経路ＰＡ１に対して下側に位置している。下側経路ＰＢ１は、開閉部９の左端部側から排出トレイ９２まで延びている。下側経路ＰＢ１は、開閉部９の左端部側から読取面８２Ａに接近するように下り傾斜し、読取面８２Ａに沿って略水平に右側に延びた後、排出トレイ９２に向かって上り傾斜している。
【００３４】
湾曲経路ＰＣ１は、左側に膨らむように湾曲しつつ、上側経路ＰＡ１の左端と下側経路ＰＢ１の左端とを接続している。
【００３５】
下側経路ＰＢ１は、読取面８２Ａに沿って略水平に右側に延びる部分、すなわち、湾曲経路ＰＣ１よりも下方に位置する所定の部分を基準部ＰＢ１０として、第１傾斜部ＰＢ１１と第２傾斜部ＰＢ１２とを含んでいる。第１傾斜部ＰＢ１１は、本発明の「傾斜部」の一例である。
【００３６】
第１傾斜部ＰＢ１１は、下側経路ＰＢ１のうち、開閉部９の左端部側から読取面８２Ａに接近するように下り傾斜する部分、すなわち、湾曲経路ＰＣ１から基準部ＰＢ１０に向かって下り傾斜する部分である。
【００３７】
第２傾斜部ＰＢ１２は、下側経路ＰＢ１のうち、読取面８２Ａから排出トレイ９２に向かって上り傾斜する部分、すなわち、基準部ＰＢ１０から湾曲経路ＰＣ１とは反対側に向かって上り傾斜する部分である。
【００３８】
搬送部４は、搬送経路Ｐ１において上側経路ＰＡ１から湾曲経路ＰＣ１を経由して下側経路ＰＢ１にシートＳＨを搬送する。搬送経路Ｐ１におけるシートＳＨの搬送方向は、上側経路ＰＡ１では左向きであり、湾曲経路ＰＣ１では左向きから変化して右向きになり、下側経路ＰＢ１では右向きである。搬送経路Ｐ１において、上側経路ＰＡ１の右端側が搬送方向の上流側であり、下側経路ＰＢ１の右端側が搬送方向の下流側である。
【００３９】
第１シュート部材１１０は、その上面によって、上側経路ＰＡ１を規定する第１ガイド面１１１を形成している。第１ガイド面１１１は、上側経路ＰＡ１を搬送されるシートＳＨの第２面ＳＨ２に当接可能に延在し、上側経路ＰＡ１においてシートＳＨを下側から案内する。
【００４０】
第１シュート部材１１０の左端部には、上側湾曲面１１６が形成されている。上側湾曲面１１６は、湾曲経路ＰＣ１の上側部分を規定している。上側湾曲面１１６は、湾曲経路ＰＣ１の上側部分を搬送されるシートＳＨの第２面ＳＨ２に当接可能に延在し、湾曲経路ＰＣ１の上側部分においてシートＳＨを下側及び右側から案内する。
【００４１】
第２シュート部材１２０は、第１シュート部材１１０に対して、下側から組み付けられている。第２シュート部材１２０の左端部には、下側湾曲面１２６が形成されている。下側湾曲面１２６は、湾曲経路ＰＣ１の下側部分を規定している。下側湾曲面１２６は、湾曲経路ＰＣ１の下側部分を搬送されるシートＳＨの第２面ＳＨ２に当接可能に延在し、湾曲経路ＰＣ１の下側部分においてシートＳＨを右側及び上側から案内する。
【００４２】
図４、図５及び図８に示すように、第２シュート部材１２０の下面は、下側湾曲面１２６に接続して右向きに下り傾斜している。第２シュート部材１２０は、その下面によって、下側経路ＰＢ１の第１傾斜部ＰＢ１１を規定する第２ガイド面１２２を形成している。第２ガイド面１２２は、第１傾斜部ＰＢ１１を搬送されるシートＳＨの第２面ＳＨ２に当接可能に延在し、第１傾斜部ＰＢ１１においてシートＳＨを上側から案内する。
【００４３】
図４及び図５に示すように、第２シュート部材１２０には、読取センサ保持部１２９が上向きに凹設されている。読取センサ保持部１２９の内部には、読取センサ３Ａが保持されている。読取センサ保持部１２９は、第３プラテンガラス８３によって塞がれている。
【００４４】
第３プラテンガラス８３の読取面８３Ａは、第１傾斜部ＰＢ１１に沿って右向きに下り傾斜している。読取面８３Ａは、第２ガイド面１２２とともに、第１傾斜部ＰＢ１１を規定する。読取センサ３Ａの読取面３ＡＡは、第３プラテンガラス８３の読取面８３Ａと平行、すなわち、第１傾斜部ＰＢ１１に沿って斜め下向きに配設されている。
【００４５】
読取センサ３Ａの読取面３ＡＡは、第３プラテンガラス８３の読取面８３Ａを介して、第１傾斜部ＰＢ１１に臨む。図８に示すように、第２ガイド面１２２は、第３プラテンガラス８３の読取面８３Ａよりも搬送方向の下流側の部分が複数のリブ１２２Ｒの下端縁によって形成されている。
【００４６】
図４、図５及び図８に示すように、第２シュート部材１２０の下面には、押圧部材４９が保持されている。押圧部材４９は、第２ガイド面１２２に右側から隣接する位置にあって、読取面８２Ａに上側から対向している。
【００４７】
図４及び図５に示すように、第２シュート部材１２０と押圧部材４９との間には、圧縮コイルバネ４９Ｓが配設されている。圧縮コイルバネ４９Ｓは、押圧部材４９を読取面８２Ａに向けて付勢する。押圧部材４９の下面は、下側経路ＰＢ１の基準部ＰＢ１０を規定している。押圧部材４９の下面は、基準部ＰＢ１０を搬送されるシートＳＨの第２面ＳＨ２に当接可能に延在し、基準部ＰＢ１０においてシートＳＨを上側から案内する。
【００４８】
図４、図５及び図８に示すように、第２シュート部材１２０の下面は、押圧部材４９に右側から隣接する位置から右向きに上り傾斜している。第２シュート部材１２０は、その下面によって、下側経路ＰＢ１の第２傾斜部ＰＢ１２を規定する第３ガイド面１２３を形成している。第３ガイド面１２３は、第２傾斜部ＰＢ１２を搬送されるシートＳＨの第２面ＳＨ２に当接可能に延在し、第２傾斜部ＰＢ１３においてシートＳＨを上側から案内する。
【００４９】
図４及び図５に示すように、第１カバー部材１３０は、第１シュート部材１１０に対して上側から組み付けられている。第１カバー部材１３０の下面には、複数のリブ１３０Ｒが形成されている。第１カバー部材１３０は、各リブ１３０Ｒの下端縁によって、第４ガイド面１３４を形成している。第４ガイド面１３４は、上側経路ＰＡ１及び湾曲経路ＰＣ１の上側部分を規定する。第４ガイド面１３４は、上側経路ＰＡ１及び湾曲経路ＰＣ１の上側部分を搬送されるシートＳＨの第１面ＳＨ１に当接可能に延在し、上側経路ＰＡ１及び湾曲経路ＰＣ１の上側部分においてシートＳＨを上側及び左側から案内する。
【００５０】
第２カバー部材１４０は、第１シュート部材１１０及び第２シュート部材１２０に対して下側から組み付けられている。図４に示すように、第２カバー部材１４０の右側部分の上面は、排出トレイ９２を構成している。図４、図５及び図８に示すように、第２カバー部材１４０の左側部分には、前後方向に細長い矩形状の開口１４０Ｈが貫設されている。
【００５１】
図４及び図５に示すように、開口１４０Ｈは、開閉部９が閉鎖位置にある状態において、読取面８２Ａの真上に位置し、読取面８２Ａと押圧部材４９とを対面させる。これにより、読取面８２Ａは、下側経路ＰＢ１の基準部ＰＢ１０を規定する。読取面８２Ａは、基準部ＰＢ１０を搬送されるシートＳＨの第１面ＳＨ１に当接可能に延在し、基準部ＰＢ１０においてシートＳＨを下側から案内する。湾曲経路ＰＣ１から基準部ＰＢ１０に向かって下り傾斜する第１傾斜部ＰＢ１１は、換言すると、湾曲経路ＰＣ１から静止読取位置に停止する読取センサ３Ｂ側に向かって下り傾斜している。
【００５２】
図８に示すように、開口１４０Ｈは、開閉部９が開放位置にある状態において、第２シュート部材１２０の第２ガイド面１２２、第３プラテンガラス８３の読取面８３Ａ及び押圧部材４９を露出させる。つまり、開閉部９が開放位置にある状態において、第１傾斜部ＰＢ１１及び基準部ＰＢ１０は、開口１４０Ｈによって開放される。これにより、第１傾斜部ＰＢ１１の周辺でシートＳＨが詰まった場合に、その詰まったシートＳＨを容易に除去できる。
【００５３】
図４及び図５に示すように、第２カバー部材１４０において、開口１４０Ｈより左側には第５ガイド面１４５Ａが形成されている。第５ガイド面１４５Ａは、湾曲経路ＰＣ１の下側部分を規定する。第５ガイド面１４５Ａは、湾曲経路ＰＣ１の下側部分を搬送されるシートＳＨの第１面ＳＨ１に当接可能に延在し、湾曲経路ＰＣ１の下側部分及び下側経路ＰＢ１の第１傾斜部ＰＢ１１においてシートＳＨを左側及び下側から案内する。
【００５４】
図４に示すように、第２カバー部材１４０において、開口１４０Ｈより右側には第５ガイド面１４５Ｂが形成されている。第５ガイド面１４５Ｂは、下側経路ＰＢ１の第２傾斜部ＰＢ１２を規定する。第５ガイド面１４５Ｂは、下側経路ＰＢ１の第２傾斜部ＰＢ１２を搬送されるシートＳＨの第１面ＳＨ１に当接可能に延在し、下側経路ＰＢ１の第２傾斜部ＰＢ１２においてシートＳＨを下側から案内する。
【００５５】
図３〜図５及び図７に示すように、本体部８の枠体８Ｗには、第１傾斜部ＰＢ１１を下側から規定するガイド部１６０が設けられている。枠体８Ｗにおける第２プラテンガラス８２より左側の部分には、収容部８Ｃが凹設されている。収容部８Ｃは、前後方向に長い矩形状の穴である。ガイド部１６０は、収容部８Ｃに配置されている。
【００５６】
図９及び図１０に示すように、ガイド部１６０は、揺動軸心Ｘ１６０周りで揺動可能に枠体８Ｗに支持されている。揺動軸心Ｘ１６０は、収容部８Ｃの右側内周縁に沿って前後方向に延びている。ガイド部１６０は、揺動軸心Ｘ１６０周りで揺動することにより、図３〜図５、図７及び図９に示す第１位置と、図１０に示す第２位置との間で変位可能となっている。
【００５７】
ガイド部１６０は、図３〜図５、図７及び図９に示す第１位置にある状態では、本体部８の支持面８１Ａ及び読取面８２Ａよりも上側に突出している。その一方、ガイド部１６０は、図１０に示す第２位置にある状態では、その殆ど全体が支持面８１Ａ及び読取面８２Ａより下方に退避する。ガイド部１６０の上面は、第２位置にある状態で、支持面８１Ａと略平行となる。
【００５８】
図９に示すように、ガイド部１６０は、収容部８Ｃ内に配置された圧縮コイルバネ１６０Ｓに付勢されて、第１位置にある状態を維持するように付勢されている。ガイド部１６０の下面には、先端が球状とされた係合凸部１６０Ｔが下向きに凸設されている。収容部８Ｃ内の下方には、プッシュラッチ機構１９０が配置されている。プッシュラッチ機構１９０は、周知の構成であるので、説明は簡略する。プッシュラッチ機構１９０は、本発明の「変位手段」の一例である。
【００５９】
プッシュラッチ機構１９０は、図９に示す第１位置にあるガイド部１６０がユーザによって下向きに押されることにより、図１０に示すように、係合凸部１６０Ｔを掴んで、ガイド部１６０を第２位置に保持する。その一方、プッシュラッチ機構１９０は、図１０に示す第２位置にあるガイド部１６０がユーザに下向きに押されることにより、係合凸部１６０Ｔを開放して押し上げ、さらに、圧縮コイルバネ１６０Ｓの付勢力によって、ガイド部１６０を図９に示す第１位置に変位させる。
【００６０】
図６に示すように、制御部Ｃ１には、ガイド部位置センサＳ１が接続されている。図９及び図１０に示すように、ガイド部位置センサＳ１は、収容部８Ｃの左側内周縁に配置されている。ガイド部位置センサＳ１は、例えば、ガイド部１６０が第１位置にある場合と第２位置にある場合とで異なる信号を制御部Ｃ１に出力し、制御部Ｃ１はその信号に基づいてガイド部１６０の位置を検出可能である。
【００６１】
図５等に示すように、ガイド部１６０は、第１位置にある状態で、搬送経路Ｐ１の第１傾斜部ＰＢ１１を構成する。以下の説明では、前後方向及び上下方向について、第１位置にあるガイド部１６０の姿勢を基準とする。
【００６２】
ガイド部１６０は、図５及び図７に示すように、複数のリブ１６９を有している。各リブ１６９は、ガイド部１６０の上面側に、前後方向に所定の間隔を空けて配置されている。各リブ１６９は、上向きに突出し、かつ左右方向に延びている。各リブ１６９の上端縁は、左端側が最も高く、右端側が読取面８２Ａに至るように右向きに下り傾斜している。
【００６３】
図５に示すように、開閉部９が閉鎖位置にある状態では、第１位置にあるガイド部１６０の各リブ１６９が開口１４０Ｈを通過し、各リブ１６９の上端縁が第２シュート部材１２０の第２ガイド面１２２に下側から対向する。ガイド部１６０は、各リブ１６９の上端縁によって、シートＳＨを案内する第６ガイド面１６６を形成している。第６ガイド面１６６は、本発明の「ガイド面」の一例である。第６ガイド面１６６は、第２シュート部材１２０の第２ガイド面１２２との間に間隔を有しつつ、右向きに下り傾斜して読取面８２Ａに至る。
【００６４】
第６ガイド面１６６は、開閉部９が閉鎖位置にある状態において、下側経路ＰＢ１の第１傾斜部ＰＢ１１を規定する。第６ガイド面１６６は、下側経路ＰＢ１の第１傾斜部ＰＢ１１を通過するシートＳＨの第１面ＳＨ１に下側から当接可能に延在し、下側経路ＰＢ１の第１傾斜部ＰＢ１１においてシートＳＨを下側から案内する。開閉部９が閉鎖位置にある状態において、第６ガイド面１６６には、読取センサ３Ａが上側から対向する。
【００６５】
図５及び図７に示すように、ガイド部１６０は、押圧部材１４９と圧縮コイルバネ１４９Ｓとを有している。圧縮コイルバネ１４９Ｓは、本発明の「付勢部材」の一例である。図７に示すように、押圧部材１４９は、ガイド部１６０の前端部及び後端部にそれぞれ形成された押圧部材保持部１８０、１８０に保持されている。図５に示すように、圧縮コイルバネ１４９Ｓは、押圧部材１４９の下面に当接し、押圧部材１４９を第３プラテンガラス８３及び読取センサ３Ａに向けて付勢する。
【００６６】
開閉部９が閉鎖位置にある状態において、押圧部材１４９の上面は、第３プラテンガラス８３に対向し、第６ガイド面１６６とともに、下側経路ＰＢ１の第１傾斜部ＰＢ１１を規定する。開閉部９が閉鎖位置にある状態において、押圧部材１４９は、第１傾斜部ＰＢ１１を通過するシートＳＨの第１面ＳＨ１に当接可能に延在し、下側経路ＰＢ１の第１傾斜部ＰＢ１１においてシートＳＨを下側から案内する。
【００６７】
図４及び図５に示すように、搬送部４は、上側経路ＰＡ１のうち、供給トレイ９１に近い位置において、供給ローラ４１、分離ローラ４２及び分離片４３を含んでいる。
【００６８】
供給ローラ４１と分離ローラ４２とは、第１シュート部材１１０の第１ガイド面１１１に対して上側から対向する位置に設けられている。分離片４３は、第１シュート部材１１０側において、分離ローラ４２に下側から対向する位置に設けられている。分離片４３は、ゴムやエラストマー等の軟質材料からなる板状体である。分離片４３は、付勢バネ４３Ｓによって、分離ローラ４２に押圧される。
【００６９】
供給ローラ４１と分離ローラ４２とは同期回転する。供給ローラ４１は、供給トレイ９１に支持されるシートＳＨに搬送力を付与して、そのシートＳＨを分離ローラ４２に向けて送り出す。分離ローラ４２は、供給トレイ９１から上側経路ＰＡ１に送り出されるシートＳＨに接触しつつ回転し、シートＳＨを湾曲経路ＰＣ１に向けて搬送する。分離片４３は、分離ローラ４２によって搬送されるシートＳＨを分離ローラ４２と協働して１枚ずつに分離する。
【００７０】
搬送部４は、第１搬送ローラ４４、ピンチローラ４４Ｐ、第２搬送ローラ４５、ピンチローラ４５Ｐ、排出ローラ４８及びピンチローラ４８Ｐを有している。
【００７１】
第１搬送ローラ４４及びピンチローラ４４Ｐは、上側経路ＰＡ１において、分離ローラ４２及び分離片４３よりも左側、すなわち、搬送方向の下流側に配設されている。第１搬送ローラ４４は、第１ガイド面１１１側に位置し、ピンチローラ４４Ｐは、第４ガイド面１３４側に位置している。第１搬送ローラ４４及びピンチローラ４４Ｐは、分離ローラ４２及び分離片４３によって１枚ずつに分離されたシートＳＨをニップし、湾曲経路ＰＣ１に搬送する。
【００７２】
第２搬送ローラ４５及びピンチローラ４５Ｐは、湾曲経路ＰＣ１の下側部分に配設されている。第２搬送ローラ４５及びピンチローラ４５Ｐは、読取センサ３Ａよりも左側かつ上側、すなわち、搬送方向の上流側に位置している。第２搬送ローラ４５は、下側湾曲面１２６側に位置し、ピンチローラ４５Ｐは、第５ガイド面１４５Ａ側に位置している。
【００７３】
第２搬送ローラ４５及びピンチローラ４５Ｐは、第１搬送ローラ４４及びピンチローラ４４Ｐによって搬送されるシートＳＨをニップし、第１傾斜部ＰＢ１１に臨む読取センサ３Ａ、及び静止読取位置に停止して基準部ＰＢ１０に臨む読取センサ３Ｂに向けて、そのシートＳＨを搬送する。この際、そのシートＳＨは、押圧部材１４９によって、読取面８３Ａからの浮き上がりを抑制されながら搬送される。また、そのシートＳＨは、押圧部材４９によって、読取面８２Ａからの浮き上がりを抑制されながら搬送される。
【００７４】
図４に示すように、排出ローラ４８及びピンチローラ４８Ｐは、下側経路ＰＢ１の第２傾斜部ＰＢ１２の右端側で排出トレイ９２に臨む位置に配設されている。排出ローラ４８は、第３ガイド面１２３側に位置し、ピンチローラ４８Ｐは、第５ガイド面１４５Ｂ側に位置している。排出ローラ４８及びピンチローラ４８Ｐは、読取面８２Ａ上を通過したシートＳＨをニップして、排出トレイ９２に排出する。
【００７５】
＜画像読取動作＞
この画像読取装置１では、支持面８１Ａに支持された原稿の画像を読み取る場合、制御部Ｃ１が読取ユニット３の図示しない走査機構及び読取センサ３Ｂ等を制御する。すると、読取ユニット３において図示しない走査機構が作動し、キャリッジ２０に保持された読取センサ３Ｂを支持面８１Ａの左端縁の下側から右端縁の下側までの間で左右方向に移動させる。これにより、読取センサ３Ｂは、支持面８１Ａに支持された原稿の画像を読み取る。その後、図示しない走査機構は、読み取りを終えた読取センサ３Ｂを読取ユニット３内における右端側から左端側に移動させ、待機位置に復帰させる。
【００７６】
また、この画像読取装置１では、制御部Ｃ１が図１１に示す「搬送部による画像読取処理」プログラムを装置の作動中に繰り返し実行する。そして、供給トレイ９１上のシートＳＨを搬送部４によって搬送し、そのシートＳＨの第１面ＳＨ１及び第２面ＳＨ２の画像を読み取る場合、制御部Ｃ１が以下のように、読取ユニット３の図示しない走査機構及び読取センサ３Ａ、３Ｂ等を制御する。
【００７７】
図１１に示すように、制御部Ｃ１は、「搬送部による画像読取処理」プログラムを開始すると、ステップＳ１０１において、搬送部による読取開始指令があったか否かを判断する。搬送部による読取開始指令は、例えば、ユーザが操作パネル８Ｐを操作することによって行われる。ステップＳ１０１で「Ｎｏ」の場合、ステップＳ１０１に戻る。その一方、ステップＳ１０１で「Ｙｅｓ」の場合、ステップＳ１０２に移行する。
【００７８】
ステップＳ１０２では、ガイド部１６０の位置を判断する。具体的には、ガイド部位置センサＳ１から出力される信号に基づいて、制御部Ｃ１がガイド部１６０の位置を判断し、ステップＳ１０３に移行する。
【００７９】
ステップＳ１０３では、制御部Ｃ１は、ガイド部１６０が第１位置にあるか否かを判断する。ステップＳ１０３で「Ｙｅｓ」の場合、ステップＳ１０５に移行する。その一方、ステップＳ１０１で「Ｎｏ」の場合、ガイド部１６０が搬送経路Ｐ１の第１傾斜部ＰＢ１１を構成しておらず、搬送部４によるシートＳＨの搬送を実行できないということを意味するので、ステップＳ１０４に移行する。
【００８０】
ステップＳ１０４では、操作パネル８Ｐを制御して、「搬送部による画像読取処理」が実行不能であることを示すメッセージや、ガイド部１６０を第１位置に変位させる操作をユーザに求めるメッセージ等を表示する。この際、ブザーやスピーカ等を制御し、警告音や音声メッセージを発生してもよい。その後、プログラムを終了し、ステップＳ１０１から上記の処理を繰り返す。
【００８１】
ステップＳ１０３からステップＳ１０５に移行すると、制御部Ｃ１は、走査機構を制御し、キャリッジ２０を移動させて、読取センサ３Ｂを読取面８２Ａの下側の静止読取位置に停止させる。読取センサ３Ｂは、静止読取位置において、下側経路ＰＢ１の基準部ＰＢ１０と対向する。次に、ステップＳ１０６に移行する。
【００８２】
ステップＳ１０６では、搬送部４による読取動作を実行する。具体的には、搬送部４が供給トレイ９１上のシートＳＨを搬送経路Ｐ１に沿って順次搬送すると、そのシートＳＨは、上側経路ＰＡ１及び湾曲経路ＰＣ１を通過し、下側経路ＰＢ１に至る。すると、読取センサ３Ａは、第１傾斜部ＰＢ１１を通過するシートＳＨの第２面ＳＨ２の画像を読み取る。次に、静止読取位置に停止した読取センサ３Ｂは、基準部ＰＢ１０を通過するシートＳＨの第１面ＳＨ１の画像を読み取る。そして、画像が読み取られたシートＳＨは、第２傾斜部ＰＢ１２を通過し、排出ローラ４８及びピンチローラ４８Ｐによって、排出トレイ９２に排出される。次に、ステップＳ１０７に移行する。シートＳＨの片面を読み取る場合には、読取センサ３ＢのみによりシートＳＨの画像を読み取る。
【００８３】
ステップ１０７では、走査機構を制御し、キャリッジ２０を移動させて、読取センサ３Ｂを待機位置に復帰させる。その後、プログラムを終了し、ステップＳ１０１から上記の処理を繰り返す。
【００８４】
ステップＳ１０２、Ｓ１０３は、本発明の「判断処理」の一例である。ステップＳ１０４は、本発明の「報知処理」の一例である。
【００８５】
＜作用効果＞
実施例１の画像読取装置１では、搬送部４によって搬送されるシートＳＨの画像を読み取る場合、図１０に示す第２位置にあるガイド部１６０をユーザが下向きに押すことにより、プッシュラッチ機構１９０がガイド部１６０の係合凸部１６０Ｔを開放して押し上げ、さらに、圧縮コイルバネ１６０Ｓの付勢力によって、ガイド部１６０を図９等に示す第１位置に変位させることができる。これにより、第１位置にあるガイド部１６０は、搬送経路Ｐ１の一部を構成する。
【００８６】
その一方、この画像読取装置１では、読取センサ３Ｂによって支持面８１Ａに支持された原稿の画像を移動しながら読み取る場合、図９等に示す第１位置にあるガイド部１６０をユーザが下向きに押すことにより、プッシュラッチ機構１９０がガイド部１６０の係合凸部１６０Ｔを掴んで、ガイド部１６０を図１０に示す第２位置に保持することができる。これにより、ガイド部１６０の殆ど全体が支持面８１Ａ及び読取面８２Ａより下方に退避する。特に、この画像読取装置１では、ガイド部１６０の上面が押圧部材１４９や第６ガイド面１６６によって構成され、その上面が図１０に示す第２位置にある状態で、支持面８１Ａと略平行である。このため、この画像読取装置１では、ユーザが例えば、原稿を支持面８１Ａに対してずれた状態で配置したり、支持面８１Ａよりも大きいサイズの原稿を支持面８１Ａからはみ出させつつ、支持面８１Ａに配置したりしても、それらの原稿が第２位置にあるガイド部１６０の押圧部材１４９や第６ガイド面１６６等に当接し難くなり、また、当接するとしても屈曲し難くなる。
【００８７】
したがって、実施例１の画像読取装置１では、支持面８１Ａよりも上側に突出して搬送経路Ｐ１の一部を構成するガイド部１６０によって原稿に傷が付くことを抑制できる。
【００８８】
また、この画像読取装置１では、プッシュラッチ機構１９０がユーザの手動操作を受ける簡素な構成となるので、製造コストの低廉化を実現できる。
【００８９】
さらに、この画像読取装置１では、搬送部４による画像読取処理を実行する際にユーザがプッシュラッチ機構１９０を操作してガイド部１６０を第１位置に変位させることを失念した場合でも、図１１に示すステップＳ１０４の報知処理を制御部Ｃ１が行うことによって、その操作が必要なことをユーザに認識させることができる。その結果、この画像読取装置１では、ガイド部１６０が図１０に示す第２位置にある状態で、搬送部４がシートＳＨを搬送する不具合を防止できる。
【００９０】
（実施例２）
図１２及び図１３に示すように、実施例２の画像読取装置では、実施例１の画像読取装置１に係るプッシュラッチ機構１９０の代わりに、リンク機構２９０を採用している。リンク機構２９０も、本発明の「変位手段」の一例である。実施例２のその他の構成は、実施例１と同様である。このため、実施例１と同一の構成については同一の符号を付して説明を省略又は簡略する。
【００９１】
リンク機構２９０は、第１伝達部２９１と、第２伝達部２９２と、操作部２９３とを有している。第１伝達部２９１の一端は、ガイド部１６０の下面側に連結されている。第２伝達部２９２は略Ｌ次形状とされ、その中間部が揺動軸心Ｘ２９２周りで揺動可能に支持されている。第２伝達部２９２の上端は、第１伝達部２９１の他端に連結されている。第２伝達部２９２の左端は、操作部２９３の右端に連結されている。操作部２９３の左端は、本体部８の外側に突出している。
【００９２】
リンク機構２９０は、ガイド部１６０が図１２に示す第１位置にある状態で、操作部２９３の左端を押し下げる第１操作を受けることにより、ガイド部１６０を図１３に示す第２位置に変位させる。
【００９３】
その一方、リンク機構２９０は、ガイド部１６０が図１３に示す第２位置にある状態で、操作部２９３の左端を押し上げる第２操作を受けることにより、ガイド部１６０を図１２に示す第１位置に変位させる。
【００９４】
このような構成である実施例２の画像読取装置でも、実施例１の画像読取装置１と同様に、支持面８１Ａよりも上側に突出して搬送経路Ｐ１の一部を構成するガイド部１６０によって原稿に傷が付くことを抑制できる。
【００９５】
また、この画像読取装置では、リンク機構２９０がユーザの手動操作を受ける簡素な構成となるので、製造コストの低廉化を実現できる。また、実施例２の構成では、開閉部９を閉じたままで、ガイド部１６０が第１位置にあるか、第２位置にあるかを操作部２９３の位置に基づいて、ユーザが確認することができる。
【００９６】
（実施例３）
図１４及び図１５に示すように、実施例３の画像読取装置では、実施例１の画像読取装置１に係るプッシュラッチ機構１９０の代わりに、アクチュエータ機構３９０を採用している。アクチュエータ機構３９０も、本発明の「変位手段」の一例である。実施例３のその他の構成は、実施例１と同様である。このため、実施例１と同一の構成については同一の符号を付して説明を省略又は簡略する。
【００９７】
キャリッジ２０には、左向きに突出する突出部２０Ｈが設けられている。突出部２０Ｈが設けられたキャリッジ２０は、アクチュエータ機構３９０として機能する。ガイド部１６０の下面側には、第１伝達部３９１の一端が連結されている。第１伝達部３９１の他端には、第２伝達部３９２の上端が連結されている。第２伝達部３９２の下端は、揺動軸心Ｘ３９２周りで揺動可能に支持されている。
【００９８】
ガイド部１６０が図１４に示す第２位置にある状態では、第２伝達部３９２が圧縮コイルバネ３９２Ｓに付勢されて右側に傾斜している。読取センサ３Ｂが図１４に示す待機位置にある状態では、キャリッジ２０から突出する突出部２０Ｈの左端は、第２伝達部３９２に対して右側に離間している。
【００９９】
実施例３の画像読取装置では、制御部Ｃ１が図１６に示す「搬送部による画像読取処理」プログラムを装置の作動中に繰り返し実行する。そして、供給トレイ９１上のシートＳＨを搬送部４によって搬送し、そのシートＳＨの第１面ＳＨ１及び第２面ＳＨ２の画像を読み取る場合、制御部Ｃ１が以下のように、読取ユニット３の図示しない走査機構及び読取センサ３Ａ、３Ｂ等を制御する。
【０１００】
図１６に示すように、制御部Ｃ１は、「搬送部による画像読取処理」プログラムを開始すると、ステップＳ３０１において、搬送部による読取開始指令があったか否かを判断する。ステップＳ３０１で「Ｎｏ」の場合、ステップＳ３０１に戻る。その一方、ステップＳ３０１で「Ｙｅｓ」の場合、ステップＳ３０２に移行する。
【０１０１】
ステップＳ３０２では、走査機構を制御し、図１５に示すように、キャリッジ２０を移動させて、読取センサ３Ｂを読取面８２Ａの下側の静止読取位置に停止させる。すると、突出部２０Ｈも左側に変位して第２伝達部３９２を押すので、第１伝達部３９１及び第２伝達部３９２が起立し、ガイド部１６０が第１位置に変位する。次に、ステップＳ３０３に移行する。
【０１０２】
ステップＳ３０３では、搬送部４による読取動作を実行する。その内容は、図１１に示すステップＳ１０６と同様であるので、説明を省略する。次に、ステップＳ３０４に移行する。
【０１０３】
ステップＳ３０４では、走査機構を制御し、図１４に示すように、キャリッジ２０を移動させて、読取センサ３Ｂを待機位置に復帰させる。すると、突出部２０Ｈも右側に変位して第２伝達部３９２から離間するので、第２伝達部３９２が圧縮コイルバネ３９２Ｓに付勢されて右側に傾斜し、ガイド部１６０が第２位置に復帰する。その後、プログラムを終了し、ステップＳ３０１から上記の処理を繰り返す。
【０１０４】
ステップＳ３０２は、本発明の「変位処理」の一例である。
【０１０５】
このような構成である実施例３の画像読取装置でも、実施例１、２の画像読取装置１と同様に、支持面８１Ａよりも上側に突出して搬送経路Ｐ１の一部を構成するガイド部１６０によって原稿に傷が付くことを抑制できる。
【０１０６】
また、この画像読取装置では、アクチュエータ機構３９０によってユーザの手動操作が不要となるので、利便性が向上する。さらに、この画像読取装置では、ガイド部１６０が図１４に示す第２位置にある状態で搬送部４がシートＳＨを搬送する不具合を防止できる。また、この画像読取装置では、キャリッジ２０がアクチュエータ機構３９０を兼ねるので、アクチュエータ機構を別に設ける場合と比較して、製造コストの低廉化を実現できる。
【０１０７】
以上において、本発明を実施例１〜３に即して説明したが、本発明は上記実施例１〜３に制限されるものではなく、その趣旨を逸脱しない範囲で適宜変更して適用できることはいうまでもない。
【０１０８】
例えば、実施例１〜３では、可動部がガイド部１６０であって、押圧部材１４９、圧縮コイルバネ１４９Ｓ及び第６ガイド面１６６を有しているがこの構成には限定されない。例えば、可動部は、第１位置で搬送経路の一部を構成可能であれば、押圧部材、付勢手段又はガイド面を有していなくてもよい。
【産業上の利用可能性】
【０１０９】
本発明は画像読取装置又は複合機等に利用可能である。
【符号の説明】
【０１１０】
１…画像読取装置、８１Ａ…支持面、８…本体部、９…開閉部
ＳＨ…シート、ＳＨ１…シートの第１面、ＳＨ２…シートの第２面
Ｐ１…搬送経路、４…搬送部
３Ｂ…第１読取部（読取センサ）、３Ａ…第２読取部（読取センサ）
１６０…可動部（ガイド部）、１９０、２９０、３９０…変位手段
１９０…プッシュラッチ機構、２９０…リンク機構、３９０…アクチュエータ機構
ＰＢ１１…傾斜部（第１傾斜部）、３ＡＡ…第２読取部の読取面
１４９…押圧部材、１４９Ｓ…付勢部材（圧縮コイルバネ）
１６６…ガイド面（第６ガイド面）、Ｃ１…制御部、２０…移動体（キャリッジ）
【図１】
2016143917.tif 000003
【図２】
2016143917.tif 000004
【図３】
2016143917.tif 000005
【図４】
2016143917.tif 000006
【図５】
2016143917.tif 000007
【図６】
2016143917.tif 000008
【図７】
2016143917.tif 000009
【図８】
2016143917.tif 000010
【図９】
2016143917.tif 000011
【図１０】
2016143917.tif 000012
【図１１】
2016143917.tif 000013
【図１２】
2016143917.tif 000014
【図１３】
2016143917.tif 000015
【図１４】
2016143917.tif 000016
【図１５】
2016143917.tif 000017
【図１６】
2016143917.tif 000018